(57)【要約】      （修正有）【課題】本考案は、文房具や書類、ノートパソコン等を収納しつつ卓上で三面のパーティションを容易に形成することができるフリーアドレス用バッグを提供する。【解決手段】正面部１０と、背面部と、底面部と、右側面部４０ａ、左側面部４０ｂとから成り、背面部には、右パーティション部６０ａと左パーティション部６０ｂが収納部に格納されており、右パーティション部が収納部の右端から引き出し可能としており、左パーティション部が収納部の左端から引き出し可能としているフリーアドレス用バッグ。【選択図】図１１
0003234070.tif 000002
【実用新案登録請求の範囲】
【請求項１】
文房具を収納するバッグであって、
正面部と、背面部と、底面部と、側面部とから成り、
前記背面部には、右パーティション部と左パーティション部が収納部に格納されており、
前記右パーティション部が前記収納部の右端から引き出し可能であり、
前記左パーティション部が前記収納部の左端から引き出し可能であることを特徴とするフリーアドレス用バッグ。
【請求項２】
背面部の収納部では、右パーティション部と左パーティション部とで異なる空間に収納されることを特徴とする請求項１記載のフリーアドレス用バッグ。
【請求項３】
右パーティション部の右側端部には、右用の引き出し突出部が設けられ、
左パーティション部の左側端部には、左用の引き出し突出部が設けられていることを特徴とする請求項１又は２記載のフリーアドレス用バッグ。
【請求項４】
正面部の上部が、手前側に折り曲げ可能としたことを特徴とする請求項１乃至３のいずれか記載のフリーアドレス用バッグ。
【請求項５】
正面部の両側辺に開閉用のファスナーを設けたことを特徴とする請求項１乃至４のいずれか記載のフリーアドレス用バッグ。
【請求項６】
正面部の外側面又は内側面、背面部の内側面、若しくは側面部の外側面にポケット部を設けたことを特徴とする請求項１乃至５のいずれか記載のフリーアドレス用バッグ。
【請求項７】
側面部のポケットを、折り畳み可能とし、広げると飲料ボトルを収納可能なメッシュポケット部を有することを特徴とする請求項１乃至６のいずれか記載のフリーアドレス用バッグ。
【考案の詳細な説明】
【技術分野】
【０００１】
本考案は、文房具等を収納するフリーアドレス用のバッグに係り、特に、卓上で使用する際にパーティションの機能も備えるフリーアドレス用バッグに関する。
【背景技術】
【０００２】
［先行技術の説明］
従来のノートパソコン（ＰＣ）用の収納バッグには、ノートＰＣの背面、両側面にパーティションを設けることができるものがある。
【０００３】
［関連技術］
尚、関連する先行技術としては、特開２０２０−１７９０９７号公報「パソコンオフィスバッグ」（特許文献１）がある。
特許文献１には、パソコンで作業するためのオフィスバッグであり、格納ボードがスライドでき、その格納ボード上端に折り畳みボードが固定される構成が記載されている。
【先行技術文献】
【特許文献】
【０００４】
【特許文献１】特開２０２０−１７９０９７号公報
【考案の概要】
【考案が解決しようとする課題】
【０００５】
しかしながら、従来のバッグには、文房具等を収納しつつ作業内容をのぞき見されないパーティションを容易に形成できるものがなく、フリーアドレス又は社外での使用の際に、気を使うことになり、不便であるという問題点があった。
【０００６】
尚、特許文献１には、文房具等を収納しつつ卓上で三面のパーティションを容易に形成する構成については記載されていない。
【０００７】
本考案は上記実状に鑑みて為されたものであり、文房具等を収納しつつ卓上で三面のパーティションを容易に形成することができるフリーアドレス用バッグを提供することを目的とする。
【課題を解決するための手段】
【０００８】
上記従来例の問題点を解決するための本考案は、文房具を収納するフリーアドレス用バッグであって、正面部と、背面部と、底面部と、側面部とから成り、背面部には、右パーティション部と左パーティション部が収納部に格納されており、右パーティション部が収納部の右端から引き出し可能であり、左パーティション部が収納部の左端から引き出し可能であることを特徴とする。
【０００９】
本考案は、上記フリーアドレス用バッグにおいて、背面部の収納部では、右パーティション部と左パーティション部とで異なる空間に収納されることを特徴とする。
【００１０】
本考案は、上記フリーアドレス用バッグにおいて、右パーティション部の右側端部には、右用の引き出し突出部が設けられ、左パーティション部の左側端部には、左用の引き出し突出部が設けられていることを特徴とする。
【００１１】
本考案は、上記フリーアドレス用バッグにおいて、正面部の上部が、手前側に折り曲げ可能としたことを特徴とする。
【００１２】
本考案は、上記フリーアドレス用バッグにおいて、正面部の両側辺に開閉用のファスナーを設けたことを特徴とする。
【００１３】
本考案は、上記フリーアドレス用バッグにおいて、正面部の外側面又は内側面、背面部の内側面、若しくは側面部の外側面にポケット部を設けたことを特徴とする。
【００１４】
本考案は、上記フリーアドレス用バッグにおいて、側面部のポケットを、折り畳み可能とし、広げると飲料ボトルなどを収納可能なメッシュポケット部を有することを特徴とする。
【考案の効果】
【００１５】
本考案によれば、文房具を収納するバッグであって、正面部と、背面部と、底面部と、側面部とから成り、背面部には、右パーティション部と左パーティション部が収納部に格納されており、右パーティション部が収納部の右端から引き出し可能とし、左パーティション部が収納部の左端から引き出し可能とするフリーアドレス用バッグとしているので、文房具等を収納しつつ卓上で背面部、右パーティション部及び左パーティション部の三面のパーティションを容易に形成することができる効果がある。
【図面の簡単な説明】
【００１６】
【図１】本バッグの正面図である。
【図２】本バッグの背面図である。
【図３】本バッグの底面図である。
【図４】本バッグの右側面図である。
【図５】本バッグの左側面図である。
【図６】拡張ポケット部を少し開いた状態を示す説明図である。
【図７】拡張ポケット部が開いた状態を示す説明図である。
【図８】本バッグのパーティション部が収納された状態を示す説明図である。
【図９】本バッグのパーティション部が引き出された状態を示す説明図である。
【図１０】本バッグの使用イメージ（１）を示す説明図である。
【図１１】本バッグの使用イメージ（２）を示す説明図である。
【考案を実施するための形態】
【００１７】
本考案の実施の形態について図面を参照しながら説明する。
［実施の形態の概要］
本考案の実施の形態に係るフリーアドレス用バッグ（本バッグ）は、文房具や書類、ノートパソコン等を収納するものであり、正面部と、背面部と、底面部と、側面部とから成り、背面部には、右パーティション部と左パーティション部が収納部に格納されており、右パーティション部が収納部の右端から引き出し可能であり、左パーティション部が収納部の左端から引き出し可能としており、文房具等を収納しつつ卓上で背面部、右パーティション部及び左パーティション部の三面のパーティションを容易に形成することができるものである。
【００１８】
［本バッグ：図１〜５］
本バッグについて図１〜５を参照しながら説明する。図１は、本バッグの正面図であり、図２は、本バッグの背面図であり、図３は、本バッグの底面図であり、図４は、本バッグの右側面図であり、図５は、本バッグの左側面図である。
本バッグは、基本的に、正面部１０と、背面部２０と、底面部３０と、右側面部４０ａと、左側面部４０ｂとから構成されている。
【００１９】
［本バッグの正面部：図１］
本バッグの正面部１０は、図１に示すように、外側面１０ａの上部に持ち手５０ａが取り付けられ、上から１／３程度の所に横方向に折り曲げ部１１が形成され、外側面１０ａの下部にはポケット部１２ａ，１２ｂ，１２ｃが設けられている。
【００２０】
正面部１０の上部の両側辺には、ラインファスナー１３ａ，１３ｂが形成されており、上げ下げのためにスライダー１４ａ，１４ｂが取り付けられている。
【００２１】
尚、図示はしていないが、正面部１０の内側面にも複数のポケット部を設けている。但し、折り曲げ部１１より下側に設けるようにしており、内側の当該ポケット部から文房具等を取り出し易くするために、ポケット部１２ａ，１２ｂ，１２ｃより下部に底面から離して設けるようにしている。
【００２２】
［背面部２０：図２］
次に、背面部２０について説明する。
背面部２０は、図２に示すように、背面部２０の外側面２０ａの上部には持ち手５０ｂが取り付けられている。
【００２３】
また、外側面２０ａの右側辺から右パーティション部６０ａが右用の突出部６１ａで引き出し可能となっている。
更に、外側面２０ａの左側辺から左パーティション部６０ｂが左用の突出部６１ｂで引き出し可能となっている。
パーティション部の構成、それを収納する収納部の構成については後述する。
【００２４】
［底面部：図３］
底面部３０は、図３に示すように、正面部１０、背面部２０、右側面部４０ａ及び左側面部４０ｂが接続されている。
尚、底面部３０の芯材は、ベルポーレン（ＰＥ（ポリエチレン）発泡シート）を用いている。
【００２５】
［右側面部４０ａ：図４］
右側面部４０ａは、正面部１０と背面部２０とを接続する側面であり、下側にポケット部４１が形成され、更にそのポケット部４１の表面に透明ＰＰ（ポリプロピレン）で小型のポケット部４２が設けられている。
また、右側面部４０ａの上部には横方向にベルトループ４３が形成されている。
ベルトループ４３は、左右の端辺が固定され、右側面部４０ａとベルトループ４３との間に物差等の長尺な文房具を挟み込むことができるようになっている。
【００２６】
［左側面４０ｂ：図５〜７］
左側面４０ｂについて図５〜７を参照しながら説明する。図６は、拡張ポケット部を少し開いた状態を示す説明図であり、図７は、拡張ポケット部が開いた状態を示す説明図である。
左側面図４０ｂは、図５に示すように、正面部１０と背面部２０とを接続する側面であり、上部にベルトループ４４が形成されており、下部に拡張ポケット部が形成されている。
【００２７】
［拡張ポケット部］
拡張ポケット部は、図５〜７に示すように、第１の折り畳み面４５と、第２の折り畳み面４６と、メッシュポケット部４８とを有している。
第１の折り畳み面４５の一辺が左側面４０ｂの正面部１０との接続辺に接続し、第２の折り畳み面４６の一辺が左側面４０ｂの背面部２０との接続辺に接続し、メッシュポケット部４８が第１の折り畳み面４５の内側と第２の折り畳み面４６の内側に接続している。
【００２８】
第１の折り畳み面４５と第２の折り畳み面４６とは、ホック４７ａ，４７ｂで固定されるようになっている。具体的には、第１の折り畳み面４５には雄のホックが取り付けられ、第２の折り畳み面４６には雌のホックが取り付けられている。
また、メッシュポケット部４８は、メッシュ素材で形成され、上端がゴムベルトとなっている。当該メッシュポケット部４８には、飲料ボトルなどを収納可能となっている。
【００２９】
［パーティション部と収納部：図８，９］
次に、パーティション部と、その収納部について図８，９を参照しながら説明する。図８は、本バッグのパーティション部が収納された状態を示す説明図であり、図９は、本バッグのパーティション部が引き出された状態を示す説明図である。具体的には、図８（ａ）、図９（ａ）が断面説明図であり、図８（ｂ）、図９（ｂ）が背面部２０の正面説明図である。
【００３０】
図８，９に示すように、背面部２０の内部には、右パーティション部６０ａを収納する右用収納部６２ａと、左パーティション部６０ｂを収納する左用収納部６２ｂが重なるように設けられている。右用収納部６２ａと左用収納部６２ｂをまとめて「収納部」と呼ぶことがある。
つまり、収納部は、右パーティション部６０ａと左パーティション部６０ｂ同士が当たらないように真ん中に仕切りが入れられた状態となっている。
【００３１】
右パーティション部６０ａの突出部６１ａが形成されている端辺とは反対側の端辺には布製の帯部６３ａの一端が接続され、他端が右用収納部６２ａの中央部分に固定されている。
左パーティション部６０ｂの突出部６１ｂが形成されている端辺とは反対側の端辺には布製の帯部６３ｂの一端が接続され、他端が左用収納部６２ｂの中央部分に固定されている。
この帯部６３ａ，６３ｂによって、右パーティション部６０ａと左パーティション部６０ｂを引っ張っても抜けることがない。
【００３２】
右パーティション部６０ａ及び左パーティション部６０ｂは、芯材にベルポーレンを用いており、帯部６３ａ，６３ｂは変形可能な柔らかい素材を用いている。
また、右パーティション部６０ａ及び左パーティション部６０ｂの正面側の面には、透明ポケットが全面に形成され、上側から書類等を挿入可能となっている。
【００３３】
［使用イメージ（１）：図１０］
本バッグの使用イメージ（１）について図１０を参照しながら説明する。図１０は、本バッグの使用イメージ（１）を示す説明図である。特に、図１０（ａ）がラインファスナー１３ａ，１３ｂを閉じた状態であり、図１０（ｂ）がラインファスナー１３ａ，１３ｂを開いた状態である。
ラインファスナー１３ａ，１３ｂを開いた状態であれば、正面部１０の内側面に形成されたポケット部に挿入した筆記用具等を容易に取り出すことができ、また、本バッグの内部に収納された書類、ノートパソコン、タブレット、その他付属の電子機器も容易に取り出すことができる。
【００３４】
［使用イメージ（２）：図１１］
本バッグの使用イメージ（２）について図１１を参照しながら説明する。図１１は、本バッグの使用イメージ（２）を示す説明図である。特に、図１１（ａ）が右パーティション部６０ａと左パーティション部６０ｂを引き出した状態であり、図１１（ｂ）が右パーティション部６０ａと左パーティション部６０ｂを右側面部４０ａ方向と左側面部４０ｂ方向に折り曲げた状態である。
図１１（ｂ）に示すように、背面部２０から引き出された右パーティション部６０ａと左パーティション部６０ｂを内側に折り曲げれば、三面のパーティションを容易に形成できる。
【００３５】
［実施の形態の効果］
本バッグによれば、文房具や書類、ノートパソコン等を収納するものであり、正面部１０と、背面部２０と、底面部３０と、右側面部４０ａ、左側面部４０ｂとから成り、背面部２０には、右パーティション部６０ａと左パーティション部６０ｂが収納部に格納されており、右パーティション部６０ａが収納部の右端から引き出し可能であり、左パーティション部６０ｂが収納部の左端から引き出し可能としているので、文房具等を収納しつつ卓上で背面部２０、右パーティション部６０ａ及び左パーティション部６０ｂの三面のパーティションを容易に形成することができる効果がある。
【産業上の利用可能性】
【００３６】
本考案は、文房具等を収納しつつ卓上で三面のパーティションを容易に形成することができるフリーアドレス用バッグに適している。
【符号の説明】
【００３７】
１０…正面部、  １０ａ…外側面、  １１…折り曲げ部、  １２ａ，１２ｂ，１２ｃ，４１，４２…ポケット部、  １３ａ，１３ｂ…ラインファスナー、  １４ａ，１４ｂ…スライダー、  １５…ポケットベルト、  ２０…背面部、  ２０ａ…外側面、  ３０…底面部、  ４０ａ…右側面部、  ４０ｂ…左側面部、  ４３，４４…ベルトループ、  ４５…第１の折り畳み面、  ４６…第２の折り畳み面、  ４７ａ．４７ｂ…ホック、  ４８…メッシュポケット部、  ５０ａ，５０ｂ…持ち手、  ６０ａ…右パーティション部、  ６０ｂ…左パーティション部、  ６１ａ，６１ｂ…突出部、  ６２ａ…右用収納部、  ６２ｂ…左用収納部、  ６３ａ，６３ｂ…帯部
【図１】
0003234070.tif 000003
【図２】
0003234070.tif 000004
【図３】
0003234070.tif 000005
【図４】
0003234070.tif 000006
【図５】
0003234070.tif 000007
【図６】
0003234070.tif 000008
【図７】
0003234070.tif 000009
【図８】
0003234070.tif 000010
【図９】
0003234070.tif 000011
【図１０】
0003234070.tif 000012
【図１１】
0003234070.tif 000013